(57)【特許請求の範囲】
【請求項１】
ダウンリンク伝送方法であって、
ＵＥがダウンリンクチャネル品質指示子（ＣＱＩ）情報を測定して基地局に報告し、ここで、前記ＵＥは、後方互換ＣＱＩテーブルまたは２５６ＱＡＭ変調をサポートするＣＱＩテーブルによって前記ＣＱＩ情報を報告するステップと、
前記ＵＥが前記基地局から伝送されたダウンリンクスケジューリング情報を受信し、前記ダウンリンクスケジューリング情報に含まれたダウンリンク制御情報（ＤＣＩ）の変調コーディング方式（ＭＣＳ）情報によって前記基地局から伝送されたダウンリンクデータを受信し、それに応じて処理し、ここで、前記ＵＥは、前記後方互換ＭＣＳテーブルまたは前記２５６ＱＡＭ変調をサポートするＭＣＳテーブルによって前記ＭＣＳ情報を処理するステップと、
前記基地局が前記ＵＥのそれぞれのＣＳＩプロセスで使用されたＣＱＩテーブルを各々構成するステップと、
前記ＵＥが前記ＣＱＩ情報が属するＣＳＩプロセスにより使用された前記ＣＱＩテーブルによって、前記ＣＱＩ情報を報告するステップとを含み、
前記後方互換ＣＱＩテーブルまたは前記２５６ＱＡＭ変調をサポートするＣＱＩテーブルは、既存ＣＱＩテーブルに対して前記２５６ＱＡＭ変調に対応する項目を追加することで生成されることを特徴とする方法。
【請求項２】
２５６ＱＡＭ変調をサポートする前記ＣＱＩテーブルは、前記後方互換ＣＱＩテーブルで最低スペクトラム効率性を有する一部のＣＱＩ項目を除去し、それに応じて２５６ＱＡＭ変調のＣＱＩ項目を追加するか、または、前記後方互換ＣＱＩテーブルで最低コーディングレートを有する一部のＣＱＩ項目が変わらないように維持させ、ＱＰＳＫ変調または１６ＱＡＭ変調の一部の項目を除去し、それに応じて２５６ＱＡＭ変調のＣＱＩ項目を追加するか、または、前記後方互換ＣＱＩテーブルで、所定範囲内のスペクトラム効率性を有するＣＱＩ項目のフィードバック細分度を追加し、それに応じて、適切に２５６ＱＡＭ変調のＣＱＩ項目を追加し／または、前記後方互換ＣＱＩテーブルで最高コーディングレートを有する６４ＱＡＭ変調の一部のＣＱＩ項目を除去し、それに応じて２５６ＱＡＭ変調のＣＱＩ項目を追加することを特徴とする請求項１に記載の方法。
【請求項３】
２５６ＱＡＭ変調をサポートする前記ＣＱＩテーブルは、前記後方互換ＣＱＩテーブルで最低スペクトラム効率性を有する一部のＣＱＩ項目を除去し、前記除去されたＣＱＩ項目を２５６ＱＡＭ変調のＣＱＩ項目に代替するか、または、前記後方互換ＣＱＩテーブルで最低コーディングレートを有する一部のＣＱＩ項目が変わらないように維持させ、ＱＰＳＫ変調または１６ＱＡＭ変調の一部のＣＱＩ項目を２５６ＱＡＭ変調のＣＱＩ項目に代替するか、または前記後方互換ＣＱＩテーブルで定められた範囲内のスペクトラム効率性を有する一部のＣＱＩ項目を２５６ＱＡＭ変調のＣＱＩ項目に代替し／または、前記後方互換ＣＱＩテーブルで最高コーディングレートを有する６４ＱＡＭ変調の一つまたは複数のＣＱＩ項目を２５６ＱＡＭ変調のＣＱＩ項目に代替することを特徴とする請求項１に記載の方法。
【請求項４】
２５６ＱＡＭ変調をサポートする前記ＣＱＩテーブルは、前記後方互換ＣＱＩテーブルで２５６ＱＡＭ変調のＣＱＩ項目を追加することを特徴とする請求項１に記載の方法。
【請求項５】
前記ＵＥが２５６ＱＡＭ変調をサポートする前記ＣＱＩテーブルによって前記ＣＱＩ情報を報告する場合、前記方法は、２５６ＱＡＭ変調をサポートする前記ＣＱＩテーブル内の前記報告されたＣＱＩ情報のＣＱＩインデックスを示すために、前記ＣＱＩ情報により占められた複数のビットを追加するステップ、または、２５６ＱＡＭ変調をサポートする前記ＣＱＩテーブル内の前記ＣＱＩ情報の実際インデックスを前記基地局に通知するために、前記ＵＥが前記ＣＱＩ情報を報告する場合に、前記ＵＥは前記基地局にオフセット値を報告するステップ、または、前記ＵＥが前記基地局から伝送されたオフセット値を受信し、前記ＣＱＩ情報を報告する場合に実際に使用されたＣＱＩテーブルを形成するために、前記オフセット値によって２５６ＱＡＭ変調をサポートする前記ＣＱＩテーブルから一部のＣＱＩ項目を抽出するステップをさらに含むことを特徴とする請求項４に記載の方法。
【請求項６】
前記方法は、前記基地局が前記ＵＥのそれぞれのサブフレーム集合により使用されたＣＱＩテーブルを各々構成するステップと、前記ＵＥが前記ＣＱＩ情報が属するサブフレーム集合により使用された前記ＣＱＩテーブルによって前記ＣＱＩ情報を報告するステップとをさらに含むことを特徴とする請求項１乃至５のうち何れか一項に記載の方法。
【請求項７】
前記方法は、前記基地局が前記ＵＥのそれぞれのＣＳＩプロセスで、それぞれのサブフレーム集合により使用されたＣＱＩテーブルを各々構成するステップと、前記ＵＥが前記ＣＱＩ情報が属するＣＳＩプロセス及びサブフレーム集合により使用された前記ＣＱＩテーブルによって前記ＣＱＩ情報を報告するステップとをさらに含むことを特徴とする請求項１乃至５のうち何れか一項に記載の方法。
【請求項８】
前記方法は、前記ＵＥが前記基地局から、前記ＣＱＩ情報を報告するように２５６ＱＡＭ変調をサポートする前記ＣＱＩテーブルであるか、または、前記後方互換ＣＱＩテーブルを使用するように、前記ＵＥを設定するために伝送した構成情報を受信するステップとをさらに含むことを特徴とする請求項１乃至５のうち何れか一項に記載の方法。
【請求項９】
２５６ＱＡＭ変調をサポートする前記ＭＣＳテーブルは、前記後方互換ＭＣＳテーブルで、最低コーディングレートを有するＱＰＳＫ変調の一部のＭＣＳ項目を除去し、２５６ＱＡＭ変調のＭＣＳ項目を追加するか、または、前記後方互換ＭＣＳテーブルで、最低コーディングレートを有するＱＰＳＫ変調の一部のＭＣＳ項目が変わらないように維持させ、ＱＰＳＫ変調または１６ＱＡＭ変調の一部のＭＣＳ項目を除去し、それに応じて２５６ＱＡＭ変調のＭＣＳ項目を追加するか、または、前記後方互換ＭＣＳテーブルで、補間を通して獲得され、そのスペクトラム効率性が所定範囲内にあるＭＣＳ項目を除去し、２５６ＱＡＭ変調のＭＣＳ項目を追加するか、または、前記２５６ＱＡＭ変調をサポートする前記ＣＱＩテーブルは、前記後方互換ＣＱＩテーブルから一部のＣＱＩ項目を除去し２５６ＱＡＭ変調のＣＱＩ項目を追加し、前記後方互換ＭＣＳテーブルで、前記除去されたＣＱＩ項目に対応するＭＣＳ項目を除去し２５６ＱＡＭ変調のＭＣＳ項目を追加し／または、前記後方互換ＭＣＳテーブルで、最高コーディングレートを有する６４ＱＡＭ変調の一部のＭＣＳ項目を除去し、それに応じて２５６ＱＡＭ変調のＭＣＳ項目を追加し／または前記後方互換ＭＣＳテーブルで、同一のスペクトラム効率性を有する複数のＭＣＳ項目のうち一つを除去し、それに応じて２５６ＱＡＭ変調のＭＣＳ項目を追加することを特徴とする請求項１に記載の方法。
【請求項１０】
２５６ＱＡＭ変調をサポートする前記ＭＣＳテーブルは、前記後方互換ＭＣＳテーブルで、最低コーディングレートを有するＱＰＳＫ変調の一部のＭＣＳ項目を２５６ＱＡＭ変調のＭＣＳ項目に代替するか、または、前記後方互換ＭＣＳテーブルで、最低コーディングレートを有するＱＰＳＫ変調の一部のＭＣＳ項目が変わらないように維持させ、ＱＰＳＫ変調または１６ＱＡＭ変調の一部のＭＣＳ項目を２５６ＱＡＭ変調のＭＣＳ項目に代替するか、または、前記後方互換ＭＣＳテーブルで、補間を通して獲得され、そのスペクトラム効率性が所定範囲内にある一部のＭＣＳ項目を２５６ＱＡＭ変調のＭＣＳ項目に代替するか、または前記２５６ＱＡＭ変調をサポートする前記ＣＱＩテーブルは、前記後方互換ＣＱＩテーブルから一部のＣＱＩ項目を除去し２５６ＱＡＭ変調のＣＱＩ項目を追加し、前記後方互換ＭＣＳテーブルで、前記除去されたＣＱＩ項目に対応するＭＣＳ項目を２５６ＱＡＭ変調のＭＣＳ項目に代替し／または前記後方互換ＭＣＳテーブルで、最高コーディングレートを有する６４ＱＡＭ変調の一つまたは複数のＭＣＳ項目を２５６ＱＡＭ変調のＭＣＳ項目に代替し／するか、または前記後方互換ＭＣＳテーブルで、同一のスペクトラム効率性を有する複数のＭＣＳ項目のうち一つを２５６ＱＡＭ変調のＭＣＳ項目に代替し／または、前記後方互換ＭＣＳテーブルで、ＩＭＣＳ＝０を有するＭＣＳ項目を保有し、ＩＭＣＳ＞０を有する一つ以上のＭＣＳ項目を２５６ＱＡＭ変調のＭＣＳ項目に代替し、ＩＭＣＳはＭＣＳインデックス値を示すことを特徴とする請求項１に記載の方法。
【請求項１１】
２５６ＱＡＭ変調をサポートする前記ＭＣＳテーブルは、前記後方互換ＭＣＳテーブルで、２５６ＱＡＭ変調のＭＣＳ項目を追加することを特徴とする請求項１に記載の方法。
【請求項１２】
前記ＵＥが２５６ＱＡＭ変調をサポートする前記ＭＣＳテーブルによって、前記ＭＣＳ情報を処理する場合、前記方法は、２５６ＱＡＭ変調をサポートするＭＣＳテーブル内の前記報告されたＭＣＳ情報のＭＣＳインデックスを示すために前記ＭＣＳ情報により占められた複数のビットを追加するステップ、または前記ＵＥが前記基地局から伝送されたオフセット値を受信し、前記ＭＣＳ情報を処理する場合に実際に使用されたＭＣＳテーブルを形成するために、前記オフセット値によって、２５６ＱＡＭ変調をサポートする前記ＭＣＳテーブルから一部のＭＣＳ項目を抽出するステップを含むことを特徴とする請求項１１に記載の方法。
【請求項１３】
前記ＵＥが２５６ＱＡＭをサポートする場合、検出されたＤＣＩフォーマットが正常ＤＣＩフォーマットであると、前記ＭＣＳ情報を処理する場合に、２５６ＱＡＭ変調をサポートする前記ＭＣＳテーブルを使用し、検出されたＤＣＩフォーマットがフォールバックＤＣＩフォーマットであると、前記ＭＣＳ情報を処理する場合に、前記後方互換ＭＣＳテーブルを使用することを特徴とする請求項９乃至１２のうち何れか一項に記載の方法。
【請求項１４】
前記ＵＥが前記ダウンリンクスケジューリング情報を受信した後、前記方法は、前記ＭＣＳ情報を処理する場合に前記ダウンリンクスケジューリング情報によりＭＣＳテーブルとして指示されたＰＤＳＣＨのＲＥマッピング及びＱＣＬ構成に対応するＭＣＳテーブルを構成するステップをさらに含み、前記ＰＤＳＣＨのそれぞれのＲＥマッピング及びＱＣＬ構成に対応するＭＣＳテーブルは基地局により事前に構成されることを特徴とする請求項９乃至１２のうち何れか一項に記載の方法。
【請求項１５】
前記ＵＥが前記ダウンリンクスケジューリング情報を受信した後、前記方法は、前記ダウンリンクスケジューリング情報を伝達する（Ｅ）ＰＤＣＣＨがＵＥにより検出されたＵＳＳに属するかＣＳＳに属するかによって、前記ＭＣＳ情報を処理する場合に使用されるＭＣＳテーブルを決定するステップをさらに含むことを特徴とする請求項９乃至１２のうち何れか一項に記載の方法。
【請求項１６】
前記ＵＥが前記ダウンリンクスケジューリング情報を受信した後、前記方法は前記ダウンリンクスケジューリング情報を伝達する（Ｅ）ＰＤＣＣＨの集積レベルに対応するＭＣＳテーブルを前記ＭＣＳ情報を処理する場合に使用されるＭＣＳテーブルとして選択するステップをさらに含むことを特徴とする請求項９乃至１２のうち何れか一項に記載の方法。
【請求項１７】
前記ＭＣＳ情報を処理する場合に使用されるＭＣＳテーブルを決定することは、（Ｅ）ＰＤＣＣＨのタイプが局地的であるかまたは分散されるかによることを特徴とする請求項９乃至１２のうち何れか一項に記載の方法。
【請求項１８】
前記ＵＥがダウンリンクスケジューリング情報を受信した後、前記方法は、前記ダウンリンクスケジューリング情報を伝達する（Ｅ）ＰＤＣＣＨがあるＥＰＤＣＣＨ集合に対応するＭＣＳテーブルを前記ＭＣＳ情報を処理する場合に使用されるＭＣＳテーブルとして選択するステップをさらに含み、前記ＵＥのそれぞれのＥＰＤＣＣＨ集合に対応する前記ＭＣＳテーブルは、前記基地局により事前に構成されることを特徴とする請求項９乃至１２のうち何れか一項に記載の方法。
【請求項１９】
前記方法は、ダウンリンクサブフレームを複数の集合に分け、それぞれのダウンリンクサブフレーム集合に対して、それぞれのダウンリンクサブフレーム集合のダウンリンクデータ伝送をスケジューリングするＤＣＩにより使用されるＭＣＳテーブルを構成するステップをさらに含み、前記ＵＥがダウンリンクスケジューリング情報を受信した後、前記方法は、ＤＣＩ情報により使用される前記ＭＣＳテーブルを前記ＭＣＳ情報を処理する場合に使用されるＭＣＳテーブルとして選択するステップをさらに含むことを特徴とする請求項９乃至１２のうち何れか一項に記載の方法。
【請求項２０】
ユーザ端末装置であって、
チャネル品質指示子（ＣＱＩ）情報測定及び報告ユニット、ダウンリンクスケジューリング情報受信ユニット及びダウンリンクデータ受信及び処理ユニットを含み、
前記ＣＱＩ情報測定及び報告ユニットは、ダウンリンクチャネル品質指示子（ＣＱＩ）情報を測定して基地局に報告するように構成され、
ＵＥは、後方互換ＣＱＩテーブルまたは２５６ＱＡＭ変調をサポートするＣＱＩテーブルによって前記ＣＱＩ情報を報告し、
前記ダウンリンクスケジューリング情報受信ユニットは、前記基地局から伝送されたダウンリンクスケジューリング情報を受信するように構成され、
前記ダウンリンクデータ受信及び処理ユニットは、前記ダウンリンクスケジューリング情報に含まれたダウンリンク制御情報（ＤＣＩ）の変調コーディング方式（ＭＣＳ）情報によって、前記基地局から伝送されたダウンリンクデータを受信し、それに応じて処理し、
前記ＵＥは、前記後方互換ＭＣＳテーブルまたは前記２５６ＱＡＭ変調をサポートするＭＣＳテーブルによって前記ＭＣＳ情報を処理し、
前記基地局は、前記ＵＥのそれぞれのＣＳＩプロセスで使用されたＣＱＩテーブルを各々構成し、
前記ＵＥは、前記ＣＱＩ情報が属するＣＳＩプロセスにより使用された前記ＣＱＩテーブルによって、前記ＣＱＩ情報を報告するように構成され、
前記後方互換ＣＱＩテーブルまたは前記２５６ＱＡＭ変調をサポートするＣＱＩテーブルは、既存ＣＱＩテーブルに対して前記２５６ＱＡＭ変調に対応する項目を追加することで生成されることを特徴とするユーザ端末装置。
【発明の詳細な説明】
【技術分野】
【０００１】
本発明は、無線通信技術に関し、特にダウンリンク伝送方法及びユーザ端末装置に関する。
【背景技術】
【０００２】
３ＧＰＰ ＬＴＥシステムで、それぞれの無線フレームは１０ｍｓの長さを有し、１０個の同一のサイズのサブフレームに分かれる。ダウンリンク伝送時間インターバル（ＴＴＩ）はサブフレームで定義される。図１に図示されるように、それぞれのダウンリンクサブフレームは２個のスロットを含む。正常ＣＰ(cyclic prefix)長さに対してそれぞれのスロットは７個のＯＦＤＭシンボルを含み、拡張ＣＰ長さに対してそれぞれのスロットは６個のＯＦＤＭシンボルを含む。それぞれのサブフレームで前のｎ（ｎは１、２、または３に該当)個のＯＦＤＭシンボルは、物理的ダウンリンク制御チャネル（ＰＤＣＣＨ）を含むダウンリンク制御情報及びその他の制御情報を伝送すべきであり、残りのＯＦＤＭシンボルは、物理的ダウンリンク共有チャネル（ＰＤＳＣＨ）や改善されたＰＤＣＣＨ（ＥＰＤＣＣＨ）を伝送すべきである。リソース割り当て細分度(granularity）は物理的リソースブロック（ＰＲＢ）である。一つのＰＲＢは周波数上で１２個の連続サブキャリアを含み、時間上で一つのタイムスロットに対応する。サブフレームで、そのサブフレームの２個のスロットの各々に位置し、同一のサブキャリアを占める２個のＰＲＢをＰＲＢペアと称する。それぞれのＰＲＢペアで、それぞれのリソース要素（ＲＥ）は、時間-周波数リソースの最小単位、すなわち、周波数上で一つのサブキャリアであり、時間上で一つのＯＦＤＭシンボルである。ＲＥは、相異なる機能に使用されることができる。例えば、ＲＥは、セル固有参照信号（ＣＲＳ）、ユーザ固有復調参照（ＤＭＲＳ）及びチャネル品質指示子参照信号（ＣＳＩ−ＲＳ）などを伝送するために使用されることができる。
【０００３】
ＬＴＥシステムで、データを伝送するための複数の伝送モードが定義される。例えば、ダウンリンク方向に対しては閉ループ多重入力多重出力（ＭＩＭＯ）伝送モード、開ループＭＩＭＯ伝送モード、送信ダイバーシティ伝送などがある。伝送モードにおいて、システムは、このような種類の伝送モード下で正常データ伝送を遂行するための正常ダウンリンク制御情報（ＤＣＩ）フォーマットを設定する。一方、基地局もＵＥが一種類のフォールバック(fallback)ＤＣＩフォーマットを検出するように設定する。フォールバックＤＣＩフォーマットは、普通より少ないビットを有し、送信ダイバーシティや単一アンテナ送信データのようなデータをスケジューリングするために、より保守的な方式を採択し、それによって高い信頼度を有する。
【０００４】
ＬＴＥシステムで複数のＵＥに伝送されるか、または複数の機能を有するＤＣＩは、独立的にコーディングされて伝送されることができる。ＰＤＣＣＨ上で物理的リソースマッピングを実行する場合に制御チャネル要素（ＣＣＥ）を単位として扱い、ＥＰＤＣＣＨ上で物理的リソースマッピングを実行する場合に改善されたＣＣＥ（ＥＣＣＥ）を単位として扱う。以下の内容で、ＰＤＣＣＨ及びＥＰＤＣＣＨが具体的に区別される必要がない場合、それらを集合的に（Ｅ）ＰＤＣＣＨと称し、したがってＣＣＥとＥＣＣＥは集合的に（Ｅ）ＣＣＥと称する。具体的に、（Ｅ）ＰＤＣＣＨの変調シンボルがＬ個の（Ｅ）ＣＣＥにマッピングされることができ、この時に、Ｌは１、２、４、１６、または３２に該当され、（Ｅ）ＰＤＣＣＨの集積レベル(aggregation level)として知られる。固定された（Ｅ）ＰＤＣＣＨは、制御情報のビット数及びＵＥのリンク条件によってＱＰＳＫ変調方法を採択し、基地局は（Ｅ）ＰＤＣＣＨを伝送するために（Ｅ）ＣＣＥの集積レベルを選択できる。
【０００５】
既存ＬＴＥバージョンでは、ＱＰＳＫ、１６ＱＡＭ及び６４ＱＡＭに基づくダウンリンクデータ伝送がサポートされる。＜表１＞はダウンリンク伝送に使用される変調コーディング方式（ＭＣＳ）及び伝送ブロックサイズ（ＴＢＳ）のインデックスを示す。具体的に、既存ＬＴＥバージョンで、ＤＣＩ情報内の５ビットはＭＣＳ及びＴＢＳ情報を示すために使用され、ここで２９個のコードワードが同時に変調モード及びＴＢＳを表し、最後の３個のコードワードは変調モードだけを表し、ＴＢＳ情報は、以前のＤＣＩ情報によって獲得されてＰＤＳＣＨの再伝送に使用されることができる。
【０００６】
＜表１＞ＰＤＳＣＨ伝送のためのＭＣＳ及びＴＢＳ
【０００７】
【表１】
0006531102.tif 000002
【０００８】
したがって、基地局スケジューリングダウンリンクＰＲＢリソースをサポートするために、ＵＥは、チャネル品質指示子(ＣＱＩ）情報を含むチャネル状態指示（ＣＳＩ）情報を報告しなければならない。＜表２＞は、それぞれのＣＱＩインデックスの変調モード及びコードレートなどを示す。具体的に、既存ＬＴＥバージョンでは、４ビットがＣＱＩ情報を報告するために使用される。既存ＬＴＥバージョンのＭＣＳ構成と一貫して、ＣＱＩ測定時にダウンリンクデータ伝送は、ＱＰＳＫ、１６ＱＡＭ及び６４ＱＡＭに基づく状況だけが現在サポートされることができる。
【０００９】
＜表２＞ＣＱＩ情報
【００１０】
【表２】
0006531102.tif 000003
【００１１】
ＬＴＥバージョン１２で、小さなセルのピークダウンリンク伝送レートを追加するために、一つの可能な候補技法が、２５６ＱＡＭ変調に基づくＰＤＳＣＨ伝送をサポートする。通常的なネットワーク構成は、例えば、広い適用性を達成するためにより低い周波数帯でマクロ基地局を使用し、ホットスパット適用性を達成するためにより高い周波数帯で小規模基地局を設定する。小規模基地局が高い周波数ポイントを使用するために、その伝搬特性はセル間干渉が少なく、マクロ基地局から干渉が存在しないと判断することによって、より小さなセルでＵＥの信号対干渉及び雑音比は非常に高く、２４５ＱＡＭに基づくダウンリンク伝送を十分にサポートできる。２５６ＱＡＭに対するサポートを導入するために、既存ＬＴＥ仕様でＭＣＳ及びＣＱＩの処理方式を変更して、それによる一連の問題を解消する必要がある。
【発明の概要】
【発明が解決しようとする課題】
【００１２】
本出願は２５６ＱＡＭ変調をサポートし、ダウンリンク伝送の性能を最適化できるダウンリンク伝送方法及びユーザ端末装置を開示する。
【課題を解決するための手段】
【００１３】
上記の目的を達成するために、本出願は次のような技術的解決法を採択する。
ダウンリンク伝送方法は、次を含む。
【００１４】
ＵＥがダウンリンクチャネル品質指示子(ＣＱＩ)情報を測定して基地局に報告し、ここで、上記ＵＥは、後方互換ＣＱＩテーブルまたは２５６ＱＡＭ変調をサポートするＣＱＩテーブルによって上記ＣＱＩ情報を報告するステップと、
上記ＵＥが、上記基地局から伝送されたダウンリンクスケジューリング情報を受信し、上記ＣＱＩ情報に含まれたダウンリンク制御情報(ＤＣＩ）の変調コーディング方式(ＭＣＳ）情報によって上記基地局から伝送されたダウンリンクデータを受信し、それに応じて処理し、ここで、上記ＵＥは、後方互換ＭＣＳテーブルまたは２５６ＱＡＭ変調をサポートするＭＣＳテーブルによって上記ＭＣＳ情報を処理するステップとを含む。
【００１５】
２５６ＱＡＭ変調をサポートする上記ＣＱＩテーブルは、
上記後方互換ＣＱＩテーブルで、最低スペクトラム効率性を有する一部のＣＱＩ項目を除去し、それに応じて２５６ＱＡＭ変調のＣＱＩ項目を追加するか、または
上記後方互換ＣＱＩテーブルで、最低コーディングレートを有する一部のＣＱＩ項目が変わらないように維持させ、ＱＰＳＫ変調または１６ＱＡＭ変調の一部の項目を除去し、それに応じて２５６ＱＡＭ変調のＣＱＩ項目を追加するか、または
上記後方互換ＣＱＩテーブルで、所定範囲内のスペクトラム効率性を有するＣＱＩ項目のフィードバック細分度を追加し、それに応じて２４５ＱＡＭ変調のＣＱＩ項目を追加するか、または、
上記後方互換ＣＱＩテーブルで、最高コーディングレートを有する６４ＱＡＭ変調の一部のＣＱＩ項目を除去し、それに応じて２５６ＱＡＭ変調のＣＱＩ項目を追加することが好ましい。
【００１６】
２５６ＱＡＭ変調をサポートする上記ＣＱＩテーブルは
上記後方互換ＣＱＩテーブルで、最低スペクトラム効率性を有する一部のＣＱＩ項目を除去し、上記除去されたＣＱＩ項目を２５６ＱＡＭ変調のＣＱＩ項目に代替するか、または、
上記後方互換ＣＱＩテーブルで、最低コーディングレートを有する一部のＣＱＩ項目が変わらないように維持させ、ＱＰＳＫ変調または１６ＱＡＭ変調の一部のＣＱＩ項目を２５６ＱＡＭ変調のＣＱＩ項目に代替するか、または、
上記後方互換ＣＱＩテーブルで、定められた範囲内のスペクトラム効率性を有する一部のＣＱＩ項目を２４５ＱＡＭ変調のＣＱＩ項目に代替し/または、
上記後方互換ＣＱＩテーブルで、最高コーディングレートを有する６４ＱＡＭ変調の一つまたは複数のＣＱＩ項目を２５６ＱＡＭ変調のＣＱＩ項目に代替することが好ましい。
【００１７】
２５６ＱＡＭ変調をサポートする上記ＣＱＩテーブルは、上記後方互換ＣＱＩテーブルで、２５６ＱＡＭ変調のＣＱＩ項目を追加することが好ましい。
【００１８】
ＵＥが２５６ＱＡＭ変調をサポートするＣＱＩテーブルによってＣＱＩ情報を報告する場合、上記方法は、
２５６ＱＡＭ変調をサポートするＣＱＩテーブル内の上記報告されたＣＱＩ情報のＣＱＩインデックスを示すために、上記ＣＱＩ情報により占められた複数のビットを追加するステップ、または
２５６ＱＡＭ変調をサポートするＣＱＩテーブル内のＣＱＩ情報の実際インデックスを上記基地局に通知するために、上記ＵＥが上記ＣＱＩ情報を報告する場合に、上記ＵＥは上記基地局にオフセット値を報告するステップ、または
上記ＵＥが上記基地局から伝送されたオフセット値を受信し、上記ＣＱＩ情報を報告する場合に実際に使用されたＣＱＩテーブルを形成するために、上記オフセット値によって、２５６ＱＡＭ変調をサポートする上記ＣＱＩテーブルから一部のＣＱＩ項目を抽出するステップをさらに含む。
【００１９】
上記方法は、上記基地局が、上記ＵＥのそれぞれのサブフレーム集合により使用されたＣＱＩテーブルを各々構成するステップと、
上記ＵＥが、上記ＣＱＩ情報が属するサブフレーム集合により使用された上記ＣＱＩテーブルによって上記ＣＱＩ情報を報告するステップとをさらに含むことが好ましい。
【００２０】
上記方法は、上記基地局が、上記ＵＥのそれぞれのＣＳＩプロセスで使用されたＣＱＩテーブルを各々構成するステップと、上記ＵＥが、上記ＣＱＩ情報が属するＣＳＩプロセスにより使用された上記ＣＱＩテーブルによって上記ＣＱＩ情報を報告するステップとをさらに含むことが好ましい。
【００２１】
上記方法は、上記基地局が上記ＵＥのそれぞれのＣＳＩプロセスで、それぞれのサブフレーム集合により使用されたＣＱＩテーブルを各々構成するステップと、
上記ＵＥが、上記ＣＱＩ情報が属するＣＳＩプロセス及びサブフレーム集合により使用された上記ＣＱＩテーブルによって上記ＣＱＩ情報を報告するステップとをさらに含むことが好ましい。
【００２２】
上記方法は、上記ＵＥが上記基地局から、上記ＣＱＩ情報を報告するように２５６ＱＡＭ変調をサポートする上記ＣＱＩテーブルであるか、または、上記後方互換ＣＱＩテーブルを使用するように上記ＵＥを設定するために伝送した構成情報を受信するステップとをさらに含むことが好ましい。
【００２３】
２５６ＱＡＭ変調をサポートする上記ＭＣＳＩテーブルは、
上記後方互換ＭＣＳテーブルで、最低コーディングレートを有するＱＰＳＫ変調の一部のＭＣＳ項目を除去し、２５６ＱＡＭ変調のＭＣＳ項目を追加するか、または、  
上記後方互換ＭＣＳテーブルで、最低コーディングレートを有するＱＰＳＫ変調の一部のＭＣＳ項目が変わらないように維持させ、ＱＰＳＫ変調または１６ＱＡＭ変調の一部のＭＣＳ項目を除去し、それに応じて２５６ＱＡＭ変調のＭＣＳ項目を追加するか、または、
上記後方互換ＭＣＳテーブルで、補間を通して獲得され、そのスペクトラム効率性が所定範囲内にあるＭＣＳ項目を除去し、２５６ＱＡＭ変調のＭＣＳ項目を追加するか、または、
２５６ＱＡＭ変調をサポートする上記ＣＱＩテーブルは、上記後方互換ＣＱＩテーブルから一部のＣＱＩ項目を除去し、２５６ＱＡＭ変調のＣＱＩ項目を追加し、上記後方互換ＭＣＳテーブルで、上記除去されたＣＱＩ項目に対応するＭＣＳ項目を除去し２５６ＱＡＭ変調のＭＣＳ項目を追加し/または、
上記後方互換ＭＣＳテーブルで、最高コーディングレートを有する６４ＱＡＭ変調の一部のＭＣＳ項目を除去し、それに応じて２５６ＱＡＭ変調のＭＣＳ項目を追加し/または、
上記後方互換ＭＣＳテーブルで、同一のスペクトラム効率性を有する複数のＭＣＳ項目のうち一つを除去し、それに応じて２５６ＱＡＭ変調のＭＣＳ項目を追加することが好ましい。
【００２４】
２５６ＱＡＭ変調をサポートする上記ＭＣＳＩテーブルは、
上記後方互換ＭＣＳテーブルで、最低コーディングレートを有するＱＰＳＫ変調の一部のＭＣＳ項目を２５６ＱＡＭ変調のＭＣＳ項目に代替するか、または、
上記後方互換ＭＣＳテーブルで、最低コーディングレートを有するＱＰＳＫ変調の一部のＭＣＳ項目が変わらないように維持させ、ＱＰＳＫ変調または１６ＱＡＭ変調の一部のＭＣＳ項目を２５６ＱＡＭ変調のＭＣＳ項目に代替するか、または、
上記後方互換ＭＣＳテーブルで、補間を通して獲得され、そのスペクトラム効率性が所定範囲内にある一部のＭＣＳ項目を２５６ＱＡＭ変調のＭＣＳ項目に代替するか、または、
上記ＣＱＩテーブルが２５６ＱＡＭ変調をサポートする場合、上記後方互換ＣＱＩテーブルから一部のＣＱＩ項目を除去し、２５６ＱＡＭ変調のＣＱＩ項目を追加し、上記後方互換ＭＣＳテーブルで、上記除去されたＣＱＩ項目に対応するＭＣＳ項目を２５６ＱＡＭ変調のＭＣＳ項目に代替し/または、
上記後方互換ＭＣＳテーブルで、最高コーディングレートを有する６４ＱＡＭ変調の一つまたは複数のＭＣＳ項目を２５６ＱＡＭ変調のＭＣＳ項目に代替し/または、
上記後方互換ＭＣＳテーブルで、同一のスペクトラム効率性を有する複数のＭＣＳ項目のうち一つを２５６ＱＡＭ変調のＭＣＳ項目に代替し/または、
上記後方互換ＭＣＳテーブルで、ＩＭＣＳ＝０を有するＭＣＳ項目を保有し、ＩＭＣＳ＞０を有する一つ以上のＭＣＳ項目を２５６ＱＡＭ変調のＭＣＳ項目に代替し、IＭＣＳはＭＣＳインデックス値を示す。
【００２５】
２５６ＱＡＭ変調をサポートする上記ＭＣＳテーブルは、上記後方互換ＭＣＳテーブルで、２５６ＱＡＭ変調のＭＣＳ項目を追加することが好ましい。
【００２６】
ＵＥが２５６ＱＡＭ変調をサポートするＭＣＳテーブルによってＭＣＳ情報を処理する場合、上記方法は、
２５６ＱＡＭ変調をサポートするＭＣＳテーブル内の上記報告されたＭＣＳ情報のＭＣＳインデックスを示すために、上記ＭＣＳ情報により占められた複数のビットを追加するステップ、または、
上記ＵＥが上記基地局から伝送されたオフセット値を受信し、上記ＭＣＳ情報を処理する場合に、実際に使用されたＭＣＳテーブルを形成するために、上記オフセット値によって、２５６ＱＡＭ変調をサポートする上記ＭＣＳテーブルから一部のＭＣＳ項目を抽出するステップを含む。
【００２７】
上記ＵＥが２５６ＱＡＭをサポートする場合、検出されたＤＣＩフォーマットが正常ＤＣＩフォーマットであると、上記ＭＣＳ情報を処理する場合に、２５６ＱＡＭ変調をサポートするＭＣＳテーブルを使用し、検出されたＤＣＩフォーマットがフォールバックＤＣＩフォーマットであると、上記ＭＣＳ情報を処理する場合に、後方互換ＭＣＳテーブルを使用することが好ましい。
【００２８】
上記ＵＥがダウンリンクスケジューリング情報を受信した後、上記方法は、上記ＭＣＳ情報を処理する場合に上記ダウンリンクスケジューリング情報によりＭＣＳテーブルとして指示されたＰＤＳＣＨのＲＥマッピング及びＱＣＬ構成に対応するＭＣＳテーブルを構成するステップをさらに含み、上記ＰＤＳＣＨのそれぞれのＲＥマッピング及びＱＣＬ構成に対応するＭＣＳテーブルは基地局により事前に構成されることが好ましい。
【００２９】
上記ＵＥがダウンリンクスケジューリング情報を受信した後、上記方法は、上記ダウンリンクスケジューリング情報を伝達する（Ｅ）ＰＤＣＣＨがＵＥにより検出されたＵＳＳに属するかＣＳＳに属するかによって、上記ＭＣＳ情報を処理する場合に使用されるＭＣＳテーブルを決定するステップをさらに含むことが好ましい。
【００３０】
上記ＵＥがダウンリンクスケジューリング情報を受信した後、上記方法は、上記ダウンリンクスケジューリング情報を伝達する（Ｅ）ＰＤＣＣＨの集積レベルに対応するＭＣＳテーブルを上記ＭＣＳ情報を処理する場合に使用されるＭＣＳテーブルとして選択するステップをさらに含むことが好ましい。
【００３１】
上記ＭＣＳ情報を処理する場合に使用されるＭＣＳテーブルを決定することは、（Ｅ）ＰＤＣＣＨのタイプが局地的であるか分散されるかによる。
【００３２】
上記ＵＥがダウンリンクスケジューリング情報を受信した後、上記方法は、上記ダウンリンクスケジューリング情報を伝達する（Ｅ）ＰＤＣＣＨがあるＥＰＤＣＣＨ集合に対応するＭＣＳテーブルを、上記ＭＣＳ情報を処理する場合に使用されるＭＣＳテーブルとして選択するステップをさらに含み、上記ＵＥのそれぞれのＥＰＤＣＣＨ集合に対応するＭＣＳテーブルは基地局により事前に構成されることが好ましい。
【００３３】
上記方法はダウンリンクサブフレームを複数の集合に分け、それぞれのダウンリンクサブフレーム集合に対して、それぞれのダウンリンクサブフレーム集合のダウンリンクデータ伝送をスケジューリングするＤＣＩにより使用されるＭＣＳテーブルを構成するステップをさらに含み、
上記ＵＥがダウンリンクスケジューリング情報を受信した後、上記方法は、ＤＣＩ情報により使用される上記ＭＣＳテーブルを上記ＭＣＳ情報を処理する場合に使用されるＭＣＳテーブルとして選択するステップをさらに含むことが好ましい。
【００３４】
ユーザ端末装置は、チャネル品質指示子(ＣＱＩ)情報測定及び報告ユニット、ダウンリンクスケジューリング情報受信ユニット及びダウンリンクデータ受信及び処理ユニットを含み、
上記ＣＱＩ情報測定及び報告ユニットは、ダウンリンクチャネル品質指示子(ＣＱＩ)情報を測定して基地局に報告するように構成され、上記ＵＥは、後方互換ＣＱＩテーブルまたは２５６ＱＡＭ変調をサポートするＣＱＩテーブルによって上記ＣＱＩ情報を報告し、
上記ダウンリンクスケジューリング情報受信ユニットは、上記基地局から伝送されたダウンリンクスケジューリング情報を受信するように構成され、
上記ダウンリンクデータ受信及び処理ユニットは、上記ダウンリンクスケジューリング情報に含まれたダウンリンク制御情報（ＤＣＩ）の変調コーディング方式(ＭＣＳ）情報によって、上記基地局から伝送されたダウンリンクデータを受信し、それに応じて処理するように構成され、上記ＵＥは後方互換ＭＣＳテーブルまたは２５６ＱＡＭ変調をサポートするＭＣＳテーブルによって上記ＭＣＳ情報を処理する。
【００３５】
本出願の方法及び装置の応用例は、２５６ＱＡＭ伝送をサポートするＣＱＩテーブル及びＭＣＳテーブルを生成し、ＵＥのリンク状態によって既存ＬＴＥ標準のＣＱＩ/ＭＣＳテーブルの使用選択や２５６ＱＡＭ伝送をサポートするＣＱＩ/ＭＣＳテーブルの使用選択をサポートすることによって、ダウンリンク伝送の性能を最適化できる。
【図面の簡単な説明】
【００３６】
【図１】サブフレームの概略図である。
【図２】本出願のダウンリンク伝送方法のフローチャート図である。
【図３】相異なるＣＱＩテーブルを使用する相異なるＣＳＩプロセスを示す概略図である。
【図４】相異なるＭＣＳテーブルに対応する相異なるダウンリンクサブフレーム集合を示す概略図である。
【図５】本出願のユーザ端末装置の概略図である。
【発明を実施するための形態】
【００３７】
本出願の目的、技術的解決法、及び利点をより明確にするために、添付された図面を参照してより詳細に記述する。
【００３８】
ＬＴＥの既存バージョンは、ＱＰＳＫ、１６ＱＡＭ及び６４ＱＡＭを含む３種類の変調モードだけをサポートする。この３種類の変調モードは複数の通常の状況下における伝送要件をカバーする。すなわち、チャネル状態が非常に劣悪な時にＱＰＳＫに基づく伝送をサポートし、チャネル状態が非常に良好な場合に６４ＱＡＭに基づく伝送をサポートする。一部の特別に高いＳＩＮＲの状況のみに対して、ダウンリンク伝送は２５６ＱＡＭに基づいて実行されることによってダウンリンクピークレートを改善できる。事実上、干渉の動的変化、リンクの高速フェーディング及び低速フェーディング、コーナー(corner)効果などを考慮した良好なチャネル状態でも、ＵＥのリンク状態が２５６ＱＡＭに基づくダウンリンク伝送を常に実行できることではない。すなわち、２５６ＱＡＭ、６４ＱＡＭ、１６ＱＡＭ及びＱＰＳＫのような変調モードの間のスイッチングに対するサポートが必要になる。一部の状況で、既存ＬＴＥバージョンのＭＣＳテーブルまたはＣＱＩテーブルは、ＵＥのダウンリンク伝送に既に適合するが、他の状況では２５６ＱＡＭをサポートするように新しく規定されたＭＣＳテーブルまたはＣＱＩテーブルがＵＥのダウンリンク伝送処理により適合する。
【００３９】
図２は、本出願のダウンリンク伝送方法の特定フローチャートである。図２に図示されるように、その方法は次の事項を含む。
【００４０】
ブロック２０１:ＵＥが基地局から伝送された構成情報を受信し、それに応じてＣＱＩテーブル及びＭＣＳテーブルを調整する。
【００４１】
ブロック２０１で、デフォルト状況におけるＵＥは、既存ＬＴＥバージョンのＣＱＩテーブル及びＭＣＳテーブルを使用し、これはＵＥが既存ＬＴＥバージョンの基地局と新たなＬＴＥバージョンの基地局を成功的にアクセスできるように保障する。事実上、基地局は、ＵＥがＵＥの仕様を報告する前にはＵＥが２５６ＱＡＭの伝送をサポートするか否かが分からないため、システムは、この時に既存ＬＴＥバージョンによって動作しなければならない。２５６ＱＡＭをサポートするＵＥに対して、基地局がＵＥのリンク状態が２５６ＱＡＭの伝送をサポートできることが分かる場合、２５６ＱＡＭをサポートするモードで動作するようにＵＥを設定するために、上位階層シグナリングが採択されることができる。この場合、ＭＣＳテーブルとＣＱＩテーブルの両方は、２５６ＱＡＭに対するサポートを提供するために、既存ＬＴＥ標準を基準にして変更され、関連パラメータが設定されるべきである。以下のブロック２０２及びブロック２０３で設定されるべき関連パラメータが詳細に記述される。
【００４２】
ブロック２０２:ＵＥは、ダウンリンクチャネル品質情報を測定して基地局に報告する。ここで、ＵＥは後方互換ＣＱＩテーブルまたは２５６ＱＡＭ変調をサポートするＣＱＩテーブルによって上記ＣＱＩ情報を報告できる。
【００４３】
ブロック２０２で、既存ＬＴＥバージョンのＣＱＩテーブルは、２５６ＱＡＭに対するサポートを追加するように拡張されることができる。ＣＱＩテーブルを構成する２種類の好ましい方法が次のように記述される。
【００４４】
第１の方法は、既存ＬＴＥバージョンのＣＱＩテーブルに基づいて２５６ＱＡＭをサポートする一つ以上の新たなＣＱＩテーブルを定義することである。新たなＣＱＩテーブルの個数を記録したことがＮであると、Ｎ＋１個のＣＱＩテーブルが新たなＬＴＥシステムバージョンでサポートされることができる。２５６ＱＡＭを使用するようにＵＥを構成する必要がある場合、基地局は、上位階層シグナリングを利用してＵＥが２５６ＱＡＭをサポートするＣＱＩテーブルを使用するように構成する。例えば、２５６ＱＡＭをサポートするただ一つの新たなＣＱＩテーブルを定義する場合、既存ＬＴＥ標準のＣＱＩテーブルまたは２５６ＱＡＭをサポートするＣＱＩテーブルを使用するようにＵＥを構成するために１ビットシグナリングが使用されることができる。
【００４５】
ＵＥの平均チャネル状態が非常に良好であり、２５６ＱＡＭをサポートできると仮定する場合、このようなＵＥが短い時間に非常に劣悪なチャネル状態にある可能性は非常に少ない。したがって、２５６ＱＡＭをサポートするＣＱＩテーブルを生成する一つの方法は、既存ＣＱＩテーブルからより低い変調次数を有するＣＱＩ項目を除去し、２５６ＱＡＭを使用する項目を追加することであり得る。本出願の好ましい方法が次のように記述される。ここで、既存ＣＱＩテーブルと一貫して、ＣＱＩインデックス０は、無効ＣＱＩ値を示すために使用されることができる。または２５６ＱＡＭをサポートするテーブルで全ての１６個の値が有効ＣＱＩ情報を示す。
【００４６】
第１の方法で、２５６ＱＡＭをサポートするＣＱＩテーブルを生成する一つの方法は、既存ＣＱＩテーブルで最低スペクトラム効率性を有するＣＱＩ項目を除去し、それによってＱＰＳＫ/１６ＱＡＭ/６４ＱＡＭに対する残りのＣＱＩ項目をリナンバリングし、２５６ＱＡＭに対する項目を追加することであり得る。例えば、既存ＣＱＩテーブルで最低インデックスを有する５個の項目を除去した後、それによって２５６ＱＡＭをサポートする５個の項目が追加されることができる。ここで、一部のＣＱＩ項目は一つ以上のＣＱＩ項目を称する。
【００４７】
ＵＥのチャネルが２５６ＱＡＭをサポートできる状況で、ＵＥのチャネル上で発生されるディープ(deep)フェーディングの場合に対処するために、より低いコーディングレートを有する一部のＱＰＳＫ項目を保有する必要がある。このように、２５６ＱＡＭのＣＱＩテーブルを構成する場合、２５６ＱＡＭをサポートするＣＱＩテーブルを生成する他の方法は、既存ＣＱＩテーブルで、最低、または、より低いコーディングレートを有する一部のＱＰＳＫ項目を変えずに維持させることを前提として、一部のＱＰＳＫ、さらには１６ＱＡＭ項目まで除去し、それに応じてＱＰＳＫ/１６ＱＡＭ/６４ＱＡＭに対する残りのＣＱＩ項目をリナンバリングした後、２５６ＱＡＭに対する項目を追加することであり得る。例えば、既存ＣＱＩテーブルで２乃至６個の項目を除去した後、それに応じて２５６ＱＡＭをサポートする５個の項目が追加されることができる。
【００４８】
２５６ＱＡＭをサポートするＣＱＩテーブルを生成するまた他の方式は、既存ＣＱＩテーブルに基づいて、より低いスペクトラム効率性を有するＣＱＩ項目のフィードバック細分度を増加させ、例えば、より低いスペクトラム効率性を有するＣＱＩ項目に対して毎２個のＣＱＩ項目のうち一つだけを維持、すなわちＣＱＩ項目２、４、６及び８を除去し、それによってＱＰＳＫ/１６ＱＡＭ/６４ＱＡＭに対する残りのＣＱＩ項目をリナンバリングした後、２５６ＱＡＭに対する項目を追加することである。このような方法の応用例で、２５６ＱＡＭをサポートするＣＱＩテーブルは、続いて全てのチャネル状態をカバーしながら単に、より低いスペクトラム効率性を有するＣＱＩ項目の細分度だけを増加させることができる。
【００４９】
上述した方法のすべては、既存ＣＱＩテーブルで一部の項目を除去し、残りのＣＱＩ項目をリナンバリングすることである。２５６ＱＡＭをサポートする新たなＣＱＩテーブルを定義する場合、ＣＱＩテーブルで除去される一部の項目は、ＣＱＩテーブルの他のＣＱＩ項目により示される変調次数及びスペクトラム効率性の変更無しに、２５６ＱＡＭの項目に直接に代替され得る。具体的に、ＣＱＩテーブル項目を除去する上記方法に応じて、既存ＣＱＩテーブルのより低いスペクトラム効率性を有する一部のＣＱＩ項目が２５６ＱＡＭの項目に代替されるか、または、既存のＭＣＳテーブルで、最低またはより低いコーディングレートを有する一部のＱＰＳＫ項目を変えずに維持させるという前題下で、一部のＱＰＳＫ、さらには１６ＱＡＭ項目が２５６ＱＡＭの項目に代替されることができるか、または既存ＣＱＩテーブルに基づいて、より低いスペクトラム効率性を有するＣＱＩ項目のフィードバック細分度を増加させ、例えば、より低いスペクトラム効率性を有するＣＱＩ項目に対して、２個のＣＱＩ項目うち一つが２５６ＱＡＭの項目に代替されることができる。
【００５０】
２５６ＱＡＭをサポートするＣＱＩテーブルを生成する上記方法で、より低いスペクトラム効率性を有するＣＱＩ項目は２５６ＱＡＭを示すように縮小されることができる。事実上、ＵＥが２５６ＱＡＭをサポートできることを前提として、既存標準のＣＱＩテーブルは６４ＱＡＭ及び０．９２ほど高いコーディングレートをサポートでき、６４ＱＡＭ及び０．９２ほどの高いコーディングレートを使用する性能が最適化されないことがあり、これらが２５６ＱＡＭ伝送に基づく一部ＣＱＩ項目に代替されることができる。すなわち、上述した２５６ＱＡＭを示すために、より低いスペクトラム効率性を有する一部のＣＱＩ項目を減らす方法の他に、最高コーディングレートを有する６４ＱＡＭの一つ以上の項目が２５６ＱＡＭを示すために除去されることができる。具体的に２５６ＱＡＭを示すために６４ＱＡＭの一つ以上の項目を除去する一つの方式は、新たなＣＱＩテーブルを生成するために別途に使用されることができ、新たなＣＱＩテーブルを生成するように２５６ＱＡＭを示すために、より低いスペクトラム効率性を有する一部のＣＱＩ項目を減らす方法は上述した方式と結合されることができる。
【００５１】
第２の方法は、既存ＬＴＥバージョンのＣＱＩテーブルで２５６ＱＡＭに対応する項目を追加し、それによって、１６個項目を超過する長いＣＱＩテーブル、すなわちＣＱＩインデックスに対して１６個項目を超過する項目の情報を含む長いＣＱＩテーブルを得ることができる。この時、ＣＱＩテーブルの長さは１６項目を超過するので、ＣＱＩ情報の報告方式を再考する必要がある。
【００５２】
ある報告方式は、ＵＥがＣＱＩ情報を報告するビットの個数を追加することであり得る。例えば５個ビットを使用してＣＱＩをフィードバックできる。
【００５３】
または、４ビットＣＱＩ情報のビット数が変わらずに維持されることもでき、したがって、既存ＬＴＥバージョンのＣＱＩ報告メカニズムが直ちに再使用されることができる。また、４ビットＣＱＩ情報をフィードバックする場合、ＵＥは、２４５ＱＡＭ変調をサポートする長いＣＱＩテーブルで、基地局により報告されたＣＱＩ情報の実際インデックスを示すために、オフセット値をフィードバックできる。例えば、４ビットＣＱＩの値の記録はｃであり、オフセット値はｖであり、０に該当するＣＱＩ値ｃは、依然として無効ＣＱＩ値を示す一方、１〜１５に該当するＣＱＩ値に対して、ＵＥによりフィードバックされるＣＱＩの実際インデックスは、上記長いＣＱＩテーブルのＣＱＩインデックスｃ＋ｖである。ＵＥのＣＳＩフィードバック情報のオフセット値ｖ及びランク指示（ＲＩ）情報は、共同コーディングされて同一のタイミング位置でフィードバックされることができる。
【００５４】
または、４ビットＣＱＩが変わらずに維持されることもあり、それによって、既存ＬＴＥバージョンのＣＱＩ報告メカニズムが直ちに再利用されることができる。２５６ＱＡＭを使用するようにＵＥを構成する必要がある場合、基地局は、ＵＥに対してＣＱＩテーブルのオフセット値ｖを設定するために上位階層シグナリングを使用し、ＵＥは、実際にＵＥを設定するＣＱＩテーブルを形成するためにそのオフセット値によって上記長いＣＱＩテーブルから１６個のＣＱＩ項目を抽出する。実際構成ＣＱＩテーブルで、ＣＱＩ値０は、依然として無効ＣＱＩ値を示すことができるが、（ｃが１〜１５に該当する）ＣＱＩ値ｃは上記長いＣＱＩテーブルのＣＱＩインデックスｃ＋ｖにマッピングされることができる。
【００５５】
既存ＬＴＥバージョン１０で、ｅＩＣＩＣ技法をサポートするために、セルのダウンリンクサブフレームは、２個の集合に分けられ、その２個のチャネル状態は、相異する。したがって、ＣＳＩ情報は、その２サブフレーム集合に対してそれぞれフィードバックされることができる。すなわち、基地局は、２サブフレーム集合のフィードバック情報を各々報告するようにＵＥを設定できる。上記複数のサブフレーム集合の平均ＳＩＮＲレベルは普通相異する。図３に図示されるように、例えば、ｅＩＣＩＣは、マクロ基地局に対応するＡＢＳＦを通して構成された一つのサブフレーム集合、すなわちマクロ基地局からのより小さなセルに対する干渉はより少ないために、より小さなセルの内のＵＥのＳＩＮＲは非常に高いため、２５６ＱＡＭの変調モードの使用に適合する。他のサブフレーム集合において、マクロ基地局がダウンリンク制御及びダウンリンクデータを伝送するので、ＵＥのＳＩＮＲは、より小さく２５６ＱＡＭの変調モードの使用には適合しない。
【００５６】
本出願は、基地局がＵＥの複数のサブフレーム集合を構成する場合、それぞれのサブフレーム集合により使用されるＣＱＩテーブルの情報をそれぞれ構成することに対して提供する。２５６ＱＡＭに対する新たなテーブルを定義する場合、本出願でＵＥは、そのサブフレーム集合のＳＩＮＲ状況によって、既存ＬＴＥバージョンのＣＱＩテーブルまたは２５６ＱＡＭをサポートする新たなＣＱＩテーブルを使用するように構成される。上記長いＣＱＩテーブルを定義する場合、本出願でＵＥは、そのサブフレーム集合のＳＩＮＲ状況によって、長いＣＱＩテーブルでＣＱＩインデックスのオフセット値ｖを選択するように構成される。例えば、ＣＱＩ値０は、依然として無効ＣＱＩ値を示すことができるが、(ｃが１〜１５に該当する)ＣＱＩ値ｃは、上記長いＣＱＩテーブルのＣＱＩインデックスｃ＋ｖにマッピングされることができる。このような方法で、基地局がＵＥに対するＣＳＩ報告方式を設定する場合、基地局はそれぞれのサブフレーム集合で使用されるＣＱＩテーブルの情報をそれぞれ構成できる。したがって、ＵＥは、それぞれのサブフレーム集合に対して基地局により構成されたＣＱＩテーブルの情報をそれぞれ受信し、それぞれのサブフレーム集合に対するチャネル状態を測定し、そのサブフレーム集合に対して基地局により構成されたＣＱＩテーブルによって、ＣＱＩ情報をフィードバックする。
【００５７】
ＬＴＥバージョン１１で、ＣｏＭＰのデータ伝送をサポートするために、基地局は複数のＣＳＩプロセスのフィードバック情報を報告するようにＵＥの設定をさらにサポートし、それぞれのＣＳＩプロセスは２個のサブフレーム集合にさらに分けられる。結論的に、既存ＬＴＥシステムは、既に、ＵＥが複数のＣＳＩプロセス及び複数のサブフレーム集合のフィードバック情報をフィードバックするようにする構成をサポートする。上記複数のＣＳＩプロセス及び複数のサブフレーム集合の平均ＳＩＮＲレベルは普通相異なる。一部のＣＳＩプロセス及びサブフレーム集合で、ＵＥのＳＩＮＲは非常に高いため２５６ＱＡＭの変調モードを使用するに適合する一方、他のＣＳＩプロセス及びサブフレーム集合でＵＥのＳＩＮＲは、より少ないので２５６ＱＡＭの変調モードの使用に適合しない。
【００５８】
本出願は、基地局がＵＥの複数のＣＳＩプロセスを構成する場合、それぞれのＣＳＩプロセスで使用されるＣＱＩテーブルの情報をそれぞれ構成することに対して提供する。２５６ＱＡＭに対する新たなテーブルを定義する場合、本出願でＵＥは、そのＣＳＩプロセスのＳＩＮＲ状況によって、既存ＬＴＥバージョンのＣＱＩテーブルまたは２５６ＱＡＭをサポートする新たなＣＱＩテーブルを使用するように構成される。上記長いＣＱＩテーブルを定義する場合、本出願でＵＥはそのＣＳＩプロセスのＳＩＮＲ状況によって、長いＣＱＩテーブルでＣＱＩインデックスのオフセット値ｖを選択するように構成される。例えば、ＣＱＩ値０は依然として無効ＣＱＩ値を示すことができるが、(ｃが１〜１５に該当する)ＣＱＩ値ｃは上記長いＣＱＩテーブルのＣＱＩインデックスｃ＋ｖにマッピングされることができる。このような方法で、基地局がＵＥに対するＣＳＩ報告方式を設定する場合、基地局は、それぞれのＣＳＩプロセスで使用されるＣＱＩテーブルの情報をそれぞれ構成できる。したがって、ＵＥは、それぞれのＣＳＩプロセスに対して基地局により構成されたＣＱＩテーブルの情報をそれぞれ受信し、それぞれのＣＳＩプロセスに対するチャネル状態を測定し、そのＣＳＩプロセスに対して、基地局により構成されたＣＱＩテーブルによってＣＱＩ情報をフィードバックする。
【００５９】
本出願は、基地局がＵＥの複数のＣＳＩプロセス及び複数のサブフレーム集合を構成する場合、それぞれのＣＳＩプロセスでそれぞれのサブフレーム集合により使用されるＣＱＩテーブルの情報をそれぞれ構成することに対してさらに提供する。２５６ＱＡＭに対する新たなテーブルを定義する場合、本出願で、ＵＥは、ＣＳＩプロセス及びサブフレーム集合のＳＩＮＲ状況によって、既存ＬＴＥバージョンのＣＱＩテーブルまたは２５６ＱＡＭをサポートする新たなＣＱＩテーブルを使用するように構成される。上記長いＣＱＩテーブルを定義する場合、本出願で、ＵＥは、ＣＳＩプロセス及びサブフレーム集合のＳＩＮＲ状況によって、長いＣＱＩテーブルでＣＱＩインデックスのオフセット値ｖを選択するように構成される。例えば、ＣＱＩ値０は、依然として無効ＣＱＩ値を示すことができるが、(ｃが１〜１５に該当する)ＣＱＩ値ｃは、上記の長いＣＱＩテーブルのＣＱＩインデックスｃ＋ｖにマッピングされることができる。このような方法で、基地局がＵＥに対するＣＳＩ報告方式を設定する場合、基地局はそれぞれのＣＳＩプロセスでそれぞれのサブフレーム集合で使用されるＣＱＩテーブルの情報をそれぞれ構成できる。したがって、ＵＥは、それぞれのＣＳＩプロセス及びそれぞれのサブフレーム集合に対して基地局により構成されたＣＱＩテーブルの情報をそれぞれ受信し、それぞれのＣＳＩプロセス及びそれぞれのサブフレーム集合に対するチャネル状態を測定し、そのＣＳＩプロセス及びそのサブフレーム集合に対して基地局により構成されたＣＱＩテーブルによって、ＣＱＩ情報をフィードバックする。
【００６０】
ブロック２０３:ＵＥは、基地局から伝送されたダウンリンクスケジューリング情報を受信し、それによって、そのダウンリンクスケジューリング情報に含まれたＤＣＩのＭＣＳ情報によって基地局から伝送されたダウンリンクデータを処理する。ここで、ＵＥは、後方互換ＭＣＳテーブルまたは２５６ＱＡＭ変調をサポートするＭＣＳテーブルによってＤＣＩ情報のＭＣＳ情報を処理できる。
【００６１】
ブロック２０３で、既存ＬＴＥバージョンのＭＣＳテーブルは、２５６ＱＡＭに対するサポートを追加するように拡張されることができる。ＭＣＳテーブルを構成する２種類の好ましい方法が次のように記述される。
【００６２】
第１の方法は、既存ＬＴＥバージョンのＭＣＳテーブルに基づいて２５６ＱＡＭをサポートする一つ以上の新たなＭＣＳテーブルを定義することである。新たなＭＣＳテーブルの個数を記録したことがＮであると、Ｎ＋１個のＭＣＳテーブルが新たなＬＴＥシステムバージョンでサポートされることができる。ここで２５６ＱＡＭをサポートする基地局は、相異なるレベルに分けられる。例えば、簡単な装置は高くないエンコーディングレートで２５６ＱＡＭを使用することだけをサポートする一方、複雑な装置は、高いエンコーディングレートで２５６ＱＡＭを使用することをサポートする。２５６ＱＡＭの複数のＭＣＳテーブルが相異なるレベルを有して各々２５６ＱＡＭをサポートする基地局に対して設定されることができる。これが２５６ＱＡＭをサポートする複数のＭＣＳテーブルを定義する理由である。そうでなければ、設計を単純化するために、ただ一つの一般的な新たなＭＣＳテーブルが２５６ＱＡＭをサポートする全ての基地局に対して定義されることができる。２５６ＱＡＭを使用するようにＵＥを構成する必要がある場合、基地局は、上位階層シグナリングを利用してＵＥが２５６ＱＡＭをサポートするＭＣＳテーブルを使用するように構成する。
【００６３】
ＵＥの平均チャネル状態が非常に良好であり２５６ＱＡＭをサポートできると仮定する場合、そのようなＵＥがより低い変調次数の変調モードを採択する可能性は通常ほぼない。したがって、２５６ＱＡＭをサポートするＭＣＳテーブルを生成する一つの方法は、既存のＭＣＳテーブルからより低い変調次数を有するＭＣＳ項目を除去し、２５６ＱＡＭを使用する項目を追加することであり得る。本出願の好ましい方法が次のように記述される。ここで既存のＭＣＳテーブルと一貫して、最大ＭＣＳ値は変調次数だけを示し、ＴＢＳ情報は含まないことができる。以下の説明は、変調次数及びＴＢＳを同時に示す他のＭＣＳ項目に主に言及する。
【００６４】
第１の方法で、２５６ＱＡＭをサポートするＭＣＳテーブルを生成する一つの方法は既存のＭＣＳテーブルで最低コーディングレートを有するＱＰＳＫ項目を除去し、したがって０から始めてＱＰＳＫ/１６ＱＡＭ/６４ＱＡＭに対する残りのＭＣＳ項目をリナンバリングし、２５６ＱＡＭに対する項目を追加することであり得る。例えば、既存のＭＣＳテーブルで最低インデックスを有する５個の項目を除去した後、それによって２５６ＱＡＭをサポートする５個の項目が追加されることができる。
【００６５】
ＵＥのチャネルが２５６ＱＡＭをサポートできる状況で、ＵＥのチャネル上で発生されるディープ(deep)フェーディングの場合に対処するために、より低いコーディングレートを有する一部のＱＰＳＫ項目を保有する必要がある。このような方法で、２５６ＱＡＭのＭＣＳテーブルを構成する場合、２５６ＱＡＭをサポートするＭＣＳテーブルを生成する別の方法は、既存のＭＣＳテーブルで最低またはより低いコーディングレートを有する一部のＱＰＳＫ項目を変わらずに維持させることを前提として、一部のＱＰＳＫ、さらには１６ＱＡＭ項目まで除去し、それに応じてＱＰＳＫ/１６ＱＡＭ/６４ＱＡＭに対する残りのＭＣＳ項目をリナンバリングした後、２５６ＱＡＭに対する項目を追加することであり得る。例えば、既存のＭＣＳテーブルで２乃至６個の項目を除去した後、それに応じて２５６ＱＡＭをサポートする５個の項目が追加されることができる。ここで、一部のＭＣＳ項目は一つ以上のＭＣＳ項目を称する。
【００６６】
また既存のＭＣＳテーブルで、一部のＭＣＳ項目は実質的にＣＱＩテーブルのＣＱＩ項目に直接対応し、他のＭＣＳ項目は補間を通して得られ、従って、２５６ＱＡＭをサポートするＭＣＳテーブルを生成する別の方法は、補間を通して得られ、そのスペクトラム効率性が特定範囲内にあるＭＣＳ項目(より低いスペクトラム効率性を有するＭＣＳ項目と共に）を既存のＭＣＳテーブルから除去し、それによって０から始めてＱＰＳＫ/１６ＱＡＭ/６４ＱＡＭに対する残りのＭＣＳ項目をリナンバリングした後、２５６ＱＡＭに対する項目を追加することであり得る。例えば、既存のＭＣＳテーブルでインデックス１、３、５、７及び９を除去した後、それによって２５６ＱＡＭをサポートする５個の項目が追加されることができる。
【００６７】
事実上、ＣＱＩテーブルのＣＱＩ項目及びＭＣＳテーブルのＭＣＳ項目との間に対応関係が存在し、したがって２５６ＱＡＭをサポートするＣＱＩテーブルを生成する場合に既存ＣＱＩテーブルで一部のＣＱＩ項目を除去すると、それによって除去されたＣＱＩ項目に対応するＭＣＳ項目を既存のＭＣＳテーブルから除去した後、それによってＱＰＳＫ/１６ＱＡＭ/６４ＱＡＭに対する残りのＭＣＳ項目をリナンバリングし、その次に２５６ＱＡＭのための項目を追加する。
【００６８】
上述した全ての方法は、既存のＭＣＳテーブルで一部の項目を除去し、残りのＭＣＳ項目をリナンバリングすることである。２５６ＱＡＭをサポートする新たなＭＣＳテーブルを定義する場合、ＭＣＳテーブルで除去される一部の項目は、ＭＣＳテーブルの他のＭＣＳ項目により示される変調次数及びＴＢＳの変更無しに、２５６ＱＡＭの項目に直接に代替され得る。具体的に、ＭＣＳテーブル項目を除去する上記方法に対応して、既存のＭＣＳテーブルのより低いコーディングレートを有するＱＰＳＫ項目が２５６ＱＡＭの項目に代替されるか、または、既存のＭＣＳテーブルで最下位またはより低いコーディングレートを有する一部のＱＰＳＫ項目を保有することを前提として、一部のＱＰＳＫ、さらには１６ＱＡＭ項目まで、２５６ＱＡＭの項目に代替されるか、または補間を通して獲得され、既存のＭＣＳテーブルでより低いスペクトラム効率性を有するＭＣＳ項目が２５６ＱＡＭの項目に代替されるか、または２５６ＱＡＭをサポートするＣＱＩテーブルを生成する方法と一貫して、除去されたＣＱＩ項目に対応する既存のＭＣＳテーブル内のＭＣＳ項目が２５６ＱＡＭの項目に代替されるか、または、ＭＣＳインデックス０、すなわちＩＭＣＳ＝０が相異なる特別な目的を有するために、IＭＣＳ＝０を、２５６ＱＡＭ変調モードを示すこととして再定義することを避けることができ、ＩＭＣＳ＞０を有する他の一つ以上のＭＣＳ項目が２５６ＱＡＭを示す項目に代替されることができる。本発明は、２５６ＱＡＭ変調モードを示すためにＩＭＣＳ＞０を有するＭＣＳ項目を使用することとして特定するように限定されるものではない。ここで、二重伝送ブロック（ＴＲ）の伝送モードを使用する場合、例えばＤＣＩフォーマット２、２Ａ、２Ｂ、２Ｃ、及び２ＤでＩＭＣＳ＝０及びｒｖｉｄｘ＝１は、一つの対応ＴＢに対してそのＴＢが現在伝送されないことを示すために設定されることができる。ＩＭＣＳ＝０は２５６ＱＡＭ変調モードを示すために再使用され、それがｒｖｉｄｘ＝１がＨＡＲＱ再伝送に使用されないようにすることによって、２５６ＱＡＭデータ伝送の性能に影響を及ぼし、したがってＩＭＣＳ＝０を有するＭＣＳインデックスが２５６ＱＡＭ変調モードを示すために使用されることができない。
【００６９】
このような方式はダウンリンク伝送モードを構成または再構成する場合、ＤＣＩでＭＣＳ情報に対する混同が生じないように保障できる。ＬＴＥシステム設計によって、それぞれのダウンリンク伝送モードにおいて、ＵＥは２種類のＤＣＩフォーマット、すなわち正常フォーマット及びフォールバックフォーマットを同時に検出する。この方法で、ネットワークが２５６ＱＡＭをサポートするＭＣＳテーブルを使用するようにＵＥを設定する場合、その２種類のＤＣＩフォーマットは２５６ＱＡＭをサポートするＭＣＳテーブルを同時に使用することができる。２５６ＱＡＭをサポートする新たなＭＣＳテーブルに含まれる一部のＭＣＳ項目に対して、表現された変調次数及びＴＢＳは、既存のＭＣＳテーブルの対応するＭＣＳインデックスのものと同一の定義を有し、したがってダウンリンク伝送モードを設定するかまたは再設定する場合、フォールバックＤＣＩフォーマット及び一貫する２テーブルのＭＣＳ項目を使用する限り、ＤＣＩのＭＣＳ情報に対する混同を避けることができる。
【００７０】
２５６ＱＡＭをサポートするＭＣＳテーブルを生成する上記方法で、より低い変調次数を有するＭＣＳ項目は２５６ＱＡＭ変調モードを示すように縮小されることができる。事実上、ＵＥが２５６ＱＡＭをサポートできることを前提として、既存標準のＭＣＳテーブルは６４ＱＡＭ及び０．９２ほど高いコーディングレートをサポートでき、６４ＱＡＭ及び０．９２ほど高いコーディングレートを使用する性能が最適化されず、それらが２５６ＱＡＭ伝送に基づく一部ＭＣＳ項目に代替されることができる。すなわち、本出願で、上述した２５６ＱＡＭを示すためにより低い変調次数を有する一部のＭＣＳ項目を減らす方法の他に、最高コーディングレートを有する６４ＱＡＭの一つ以上の項目が２５６ＱＡＭ変調モード及び対応するＴＢＳを示すために除去されることができる。具体的に２５６ＱＡＭを示すために６４ＱＡＭの一つ以上の項目を除去する一つの方式は、新たなＭＣＳテーブルを生成するために別途に使用されることができ、新たなＭＣＳテーブルを生成するように２５６ＱＡＭを示すために、より低い変調次数を有する一部のＭＣＳ項目を減らす方法は上述した方式と結合されることができる。
【００７１】
また、既存のＭＣＳテーブルには同一のスペクトラム効率性及び相異なる変調モードを有する一部のＭＣＳ項目が存在する。すなわち、ＭＣＳインデックス１０及び１１は同一のスペクトラム効率性を有するが、それぞれＱＰＳＫ及び１６ＱＡＭを採択する。ＭＣＳインデックス１６及び１７は、同一のスペクトラム効率性を有するが、それぞれ１６ＱＡＭ及び６４ＱＡＭを採択する。同一のスペクトラム効率性を有する２ＭＣＳのうち一つが除去され、したがって２５６ＱＡＭ伝送を示すために、コードワードを得ることができる。例えば、同一のスペクトラム効率性を有する２ＭＣＳのうち、より低い変調次数を有する一つが除去されることができる。このような方法を採択することで、２５６ＱＡＭ伝送を示すために２コードワードが得られることができる。
【００７２】
第２の方法は、既存ＬＴＥバージョンのＭＣＳテーブルで２５６ＱＡＭに対応する項目を追加し、したがって３２項目を超過する長いＭＣＳテーブル、すなわちＭＣＳインデックスに対して３２項目を超過する項目の情報を含む長いＭＣＳテーブルを得ることができる。この時、ＭＣＳテーブルの長さは３２項目を超過するので、ＭＣＳ情報の報告方式を再考する必要がある。
【００７３】
ある報告方式は、ＤＣＩフォーマットでＣＱＩ情報により獲得されるビットの数を追加することであり得る。例えば６個ビットを使用してＭＣＳ情報をサポートできる。
【００７４】
または、５ビットＭＣＳが変わらずに維持されることもでき、したがって既存ＬＴＥバージョンのＤＣＩフォーマットが直ちに再使用されることができる。２５６ＱＡＭを使用するようにＵＥを構成する必要がある場合、基地局はＵＥに対してＭＣＳテーブルのオフセット値ｖを設定するために上位階層シグナリングを使用し、ＵＥは、実際にＵＥを設定するＭＣＳテーブルを形成するために、そのオフセット値によって上記長いＭＣＳテーブルから３２個のＭＣＳ項目を抽出する。例えば、実際に設定ＣＱＩテーブルで、既存のＭＣＳテーブルの構造と一貫して、ＤＣＩのＭＣＳ値２８、２９、３０及び３１はそれぞれ変調次数２、４、６及び８を示す(すなわち、それぞれＱＰＳＫ、１６ＱＡＭ、６４ＱＡＭ及び２５６ＱＡＭに対応する)。ＭＣＳ値ｍ(ｍは0〜２７に該当）は、上記長いＭＣＳテーブルのＭＣＳインデックスｍ＋ｖにマッピングされることができる。相異なるレベルを有して２５６ＱＡＭの使用をサポートする基地局に対応して、ＵＥは相異なるオフセット値ｖを有して設定されることができ、したがってダウンリンクリンクの性能を最適化できる。
【００７５】
２５６ＱＡＭをサポートするＭＣＳテーブルを生成する方法が上述されている。２５６ＱＡＭをサポートするＵＥにおいて、既存ＬＴＥ標準のＭＣＳテーブルまたは２５６ＱＡＭをサポートするＭＣＳテーブルの採択が設定されることができる。一部の状況で、既存ＬＴＥバージョンのＭＣＳテーブルは、ＵＥのダウンリンク伝送に適合する一方、他の状況では２５６ＱＡＭをサポートするように新しく規定されたＭＣＳテーブルがＵＥのピークダウンリンク伝送レートを改善することにより適合する。本出願によって既存ＬＴＥ標準のＭＣＳテーブルまたは２５６ＱＡＭをサポートするＭＣＳテーブルを設定する一つの方式が以下で記述される。
【００７６】
ＬＴＥシステム設計によって、それぞれのダウンリンク伝送モードにおいて、ＵＥは２種類のＤＣＩフォーマット、すなわち正常フォーマット及びフォールバックフォーマットを同時に検出する。正常ＤＣＩフォーマットは、このような種類の伝送モード下で正常データ伝送を遂行するためのものである。２５６ＱＡＭを使用するようにＵＥを明確に設定する必要がある状況において、正常ＤＣＩフォーマットは２５６ＱＡＭをサポートできる。フォールバックＤＣＩフォーマットは普通より少ないビットを有し、より高い信頼性を有し、ダウンリンク伝送モードの間のスイッチングをサポートする。したがって、ピークダウンリンクスピードに対する追求がフォールバックＤＣＩフォーマットの主目ではない。
【００７７】
本出願で、ＵＥにより検出された正常ＤＣＩフォーマット及びフォールバックＤＣＩフォーマットに対して相異なるＭＣＳテーブルがそれぞれ使用されることができる。具体的に２５６ＱＡＭをサポートするように設定されたＵＥにおいて、正常ＤＣＩフォーマットのＭＣＳフィールドは２５６ＱＡＭをサポートするＭＣＳテーブルを使用することができる、すなわち、既存ＬＴＥ標準のＭＣＳテーブル及び２５６ＱＡＭをサポートするＭＣＳテーブルのうち一つを使用するように設定するために上位階層シグナリングが使用されることができ、フォールバックＤＣＩフォーマットのＭＣＳフィールドは依然として既存ＬＴＥ標準と一貫性を有する。すなわち既存ＬＴＥ標準のＭＣＳテーブルを利用する。基地局が選択された正常ＤＣＩフォーマットやフォールバックＤＣＩによってダウンリンクデータ伝送をスケジューリングする場合、本出願の方法によって基地局はＤＣＩのＭＣＳを構成するようにＭＣＳテーブルを選択する。したがって、ＵＥが（Ｅ）ＰＤＣＣＨをブラインド(in blind）で検出する場合、ＵＥが正常ＤＣＩフォーマットの（Ｅ）ＰＤＣＣＨをブラインドで検出する場合、上位階層シグナリングが２５６ＱＡＭをサポートするＭＣＳテーブル使用を設定すると仮定する場合、ＵＥは２５６ＱＡＭをサポートする新たなＭＣＳテーブルによってＤＣＩのＭＣＳ情報を分析することができ、そうでない場合、ＵＥは、既存ＬＴＥ標準のＭＣＳテーブルによってＤＣＩのＭＣＳ情報を分析することができる。ＵＥがフォールバックＤＣＩフォーマットの（Ｅ）ＰＤＣＣＨをブラインドで検出すれと、ＵＥは既存ＬＴＥ標準のＭＣＳテーブルによってＤＣＩのＭＣＳ情報を分析することができる。
【００７８】
このような方式で、ＵＥが２５６ＱＡＭのダウンリンク伝送を通して設定されるか否かに関わらず、ＵＥのフォールバックＤＣＩは既存ＬＴＥ標準と一貫して、したがってダウンリンク伝送モードを設定するか再設定する場合、ＤＣＩ内のＭＣＳ情報の混同が生じないように保障できる。
【００７９】
ＬＴＥバージョン１１の仕様によれば、伝送モード１０に対してシステムはＲＥマッピング及びＰＤＳＣＨのＱＣＬ(quasi-co-location）の４種類の相異なる種類の設定情報を構成でき、ＤＣＩの２ビットを使用して現在のＰＰＤＳＣＨ伝送がどの種類のＲＥマッピング及びＱＣＬ設定であるかを示す。相異なるＲＥマッピング及びＱＣＬ設定の各々に対して、そのターゲット物理階層伝送技術、例えば共同伝送(joint transmission:ＪＴ)またはＣＳ／ＣＢ(Coordinated scheduling/beam forming)が相異することができる。相異なる伝送技術を使用する場合、リンク状態も相異する。例えばＪＴを使用する場合、ＳＩＮＲはＣＳ／ＣＲより高いため、ＪＴを使用する場合、２５６ＱＡＭをサポートするＭＣＳテーブルを使用することが可能であり得るが、ＣＳ／ＣＢを使用する場合は、既存のＭＣＳテーブルだけを使用することが適切である。
【００８０】
本出願は、ＵＥに対してＰＤＳＣＨのＲＥマッピング及びＱＣＬ構成を設定する場合、それぞれのＲＥマッピング及びＱＣＬ構成に対応して使用されるＭＣＳテーブルがそれぞれ同時に設定される。基地局がダウンリンクデータ伝送をスケジューリングする場合、ＵＥにより使用されるＰＤＳＣＨのＲＥマッピング及びＱＣＬ構成を選択した後、このＲＥマッピング及びＱＣＬ構成を設定するＭＣＳテーブルによってＤＣＩのＭＣＳフィールドを構成する。したがって、ＵＥがブラインドで一つの（Ｅ）ＰＤＣＣＨを検出した後、（Ｅ）ＰＤＣＣＨにより指示されたＰＤＳＣＨのＲＥマッピング及びＱＣＬ構成によるＭＣＳテーブルを決定し、ＤＣＩのＭＣＳ情報を分析する。
【００８１】
ＬＴＥシステム設計によって、ＵＥは２個の検索空間、すなわち共通検索空間(ＣＳＳ）及びＵＥ固有の検索空間(ＵＳＳ）内で、基地局から伝送された（Ｅ）ＰＤＣＣＨをブラインドで検出しなければならない。ＵＳＳに伝送された（Ｅ）ＰＤＣＣＨは、普通、ＵＥ固有ＰＤＳＣＨ伝送をトリガーすることであり、ＣＳＳはセル共通（Ｅ）ＰＤＣＣＨを伝送するためである。また、ＵＳＳ及びＣＳＳで同一のビット個数を有するＤＣＩフォーマットにおいて、ＣＳＳの（Ｅ）ＰＤＣＣＨは、ＵＥ固有ＰＤＳＣＨ伝送をトリガーすることができる。２５６ＱＡＭをサポートするように構成されたＵＥにおいて、２５６ＱＡＭをサポートできるようにＵＳＳの（Ｅ）ＰＤＣＣＨが必要であり、２５６ＱＡＭをサポートするＭＣＳテーブルを使用するためにＣＳＳの（Ｅ）ＰＤＣＣＨは要求されない。または、２５６ＱＡＭをサポートするように構成されたＵＥにおいて、２５６ＱＡＭをサポートできるように、ＵＳＳの（Ｅ）ＰＤＣＣＨが必要であり、ＣＳＳに対して、それは、ＣＳＳにより伝送された（Ｅ）ＰＤＣＣＨの目的によって複数のＭＣＳテーブルにより構成されることができる。
【００８２】
本出願で、使用されるＭＣＳテーブルはＵＥにより検出された（Ｅ）ＰＤＣＣＨがＵＳＳに属するかＣＳＳに属するかによって決定されることができる。具体的に、２５６ＱＡＭをサポートするように構成されたＵＥにおいて、２５６ＱＡＭをサポートするＭＣＳテーブルはＵＳＳの（Ｅ）ＰＤＣＣＨに対して使用されることができる、すなわち既存ＬＴＥ標準のＭＣＳテーブル及び２５６ＱＡＭをサポートするＭＣＳテーブルのうち一つの使用を設定するために上位階層シグナリングが使用されることができる。既存ＬＴＥ標準のＭＣＳテーブルは、ＣＳＳの（Ｅ）ＰＤＣＣＨに対して固定されることができる。基地局がＵＳＳ及びＣＳＳの（Ｅ）ＰＤＣＣＨに対してダウンリンクデータ伝送をスケジューリングする場合、本出願の方法によって選択されたＭＣＳテーブルがＤＣＩのＭＣＳフィールドを構成するために使用されることができる。したがって、ＵＥがＵＳＳの（Ｅ）ＰＤＣＣＨをブラインドで検出する場合、上位階層シグナリングが２５６ＱＡＭをサポートするＭＣＳテーブルの使用を設定すると仮定する場合、ＤＣＩのＭＣＳ情報は２５６ＱＡＭをサポートするＭＣＳテーブルによって分析されることができ、そうでない場合、ＤＣＩのＭＣＳ情報は既存ＬＴＥ標準のＭＣＳテーブルによって分析されることができる。ＣＳＳの（Ｅ）ＰＤＣＣＨにおいて、ＤＣＩのＭＣＳ情報は既存ＬＴＥ標準のＭＣＳテーブルによって分析されることができる。
【００８３】
または２５６ＱＡＭをサポートするように構成されたＵＥにおいて、２５６ＱＡＭをサポートするＭＣＳテーブルがＵＳＳの（Ｅ）ＰＤＣＣＨに対して使用されることができる。すなわち、既存ＬＴＥ標準のＭＣＳテーブル及び２５６ＱＡＭをサポートするＭＣＳテーブルのうち一つの使用を設定するために、上位階層シグナリングが使用されることができる。ＣＳＳの（Ｅ）ＰＤＣＣＨにおいて、そのＤＣＩがスケジューリングブロードキャスト情報、ページング情報またはＲＡＣＨ応答メッセージ（ＲＡＲ）のようにセルに固有であると、（Ｅ）ＰＤＣＣＨは既存ＬＴＥ標準のＭＣＳテーブルを使用する。ＣＳＳの（Ｅ）ＰＤＣＣＨに対して、そのＤＣＩがＵＥに固有であると、（Ｅ）ＰＤＣＣＨは２５６ＱＡＭをサポートするＭＣＳテーブルを使用することができる。基地局がＵＳＳ及びＣＳＳの（Ｅ）ＰＤＣＣＨに対してダウンリンクデータ伝送をスケジューリングする場合、本出願の方法によって選択されたＭＣＳテーブルがＤＣＩのＭＣＳフィールドを構成するために使用されることができる。したがって、ＵＥがＵＳＳの（Ｅ）ＰＤＣＣＨをブラインドで検出する場合、ＵＳＳの（Ｅ）ＰＤＣＣＨに対して上位階層シグナリングが２５６ＱＡＭをサポートするＭＣＳテーブル使用を設定すると仮定する場合、ＤＣＩのＭＣＳ情報は２５６ＱＡＭをサポートするＭＣＳテーブルによって分析されることができ、ＣＳＳの（Ｅ）ＰＤＣＣＨに対して、ＤＣＩのＭＣＳ情報は既存ＬＴＥ標準のＭＣＳテーブルによって分析されることができ、ＣＳＳの（Ｅ）ＰＤＣＣＨにおいて、そのＤＣＩがＵＥに固有なことであると、上位階層シグナリングが２５６ＱＡＭをサポートするＭＣＳテーブル使用を設定すると仮定する場合、ＤＣＩのＭＣＳ情報は２５６ＱＡＭをサポートするＭＣＳテーブルによって分析されることができ、そうでないと、ＤＣＩのＭＣＳ情報は既存ＬＴＥ標準のＭＣＳテーブルによって分析されることができる。
【００８４】
ＬＴＥシステムで、（Ｅ）ＰＤＣＣＨは一つ以上の（Ｅ）ＣＣＥの集積である。一般的に、ＵＥのダウンリンクチャネル品質が良好である時、より小さな集積レベルが採択されることができ、ＵＥのダウンリンクチャネル品質が劣悪であると、より大きい集積レベルが使用されることができる。したがって、ダウンリンクデータ伝送において、ダウンリンクリンク品質が良好である時、２５６ＱＡＭ変調モードが採択されることができ、ダウンリンクリンク品質が劣悪であると、普通、２５６ＱＡＭ変調モードは採択されることができない。
【００８５】
本出願でＤＣＩにより使用されるＭＣＳテーブルは、（Ｅ）ＰＤＣＣＨの集積レベルによって決定されることができる。例えばＫより小さな集積レベルを有する（Ｅ）ＰＤＣＣＨは２５６ＱＡＭをサポートする新たなＭＣＳテーブルを使用することができ、Ｋより大きい集積レベルを有する（Ｅ）ＰＤＣＣＨは既存のＭＣＳテーブルを使用する。基地局がダウンリンクデータ伝送をスケジューリングする場合、ＵＥのダウンリンクリンク状態によって（Ｅ）ＰＤＣＣＨの集積レベルを決定し、ＤＣＩのＭＣＳフィールドを構成するために本出願の方法によってＭＣＳテーブルを選択する。したがって、ＵＥが（Ｅ）ＰＤＣＣＨをブラインドで検出した後、ＵＥは基地局スケジューリングの変調モード及びＴＢＳを獲得するために（Ｅ）ＰＤＣＣＨの集積レベルによってＤＣＩのＭＣＳフィールドを分析することができる。
【００８６】
ＬＴＥシステムで、２タイプ、すなわち局地化されたＥＰＤＣＣＨ及び分散されたＥＰＤＣＣＨのＥＰＤＣＣＨが定義される。一般的に、局地化されたＥＰＤＣＣＨは周波数スケジューリング利得を得るために基地局がＵＥの複数の周波数サブバンドに対する正確なチャネル状態指示(ＣＳＩ)情報を獲得できる状況に適合し、それに対応して基地局がＵＥの精密ＣＳＩ情報を有さない時、基地局は周波数ダイバーシティ利得、すなわち分散されたＥＰＤＣＣＨを得るために、伝送する複数のＰＲＢペアでＥＰＤＣＣＨを分散させなければならない。基地局が局地化されたＥＰＤＣＣＨを伝送する場合、ＣＳＩ情報が精密なために、２５６ＱＡＭはダウンリンクピークレートを追加で改善するために使用されることができる。基地局が分散されたＥＰＤＣＣＨを伝送する場合、ＣＳＩ情報は普通正確でないので、既存ＬＴＥのＭＣＳテーブルが良好な性能を提供できる。
【００８７】
本出願でＤＣＩにより使用されるＭＣＳテーブルはＥＰＤＣＣＨのタイプ(局地型または分散型)によって決定されることができる。具体的に、局地型ＥＰＤＣＣＨ集合内のＥＰＤＣＣＨ候補が２５６ＱＡＭをサポートする新たなＭＣＳテーブルを使用するように設定される。すなわち、既存ＬＴＥ標準のＭＣＳテーブル及び２５６ＱＡＭをサポートするＭＣＳテーブルのうち一つの使用を設定するために、上位階層シグナリングが使用されることができる一方、分散型ＥＰＤＣＣＨ集合内のＥＰＤＣＣＨ候補は既存のＭＣＳテーブルを使用するために設定されることができる。基地局がダウンリンクデータ伝送をスケジューリングする場合、ＥＰＤＣＣＨのタイプ(局地型または分散型）はＵＥのダウンリンクリンク状態によって選択されることができて、ＭＣＳテーブルはＤＣＩのＭＣＳフィールドを構成するために本出願の方法によって選択されることができる。したがって、ＵＥがＥＰＤＤＣＨをブラインドで検出した後、ＵＥは基地局スケジューリングの変調モード及びＴＢＳを獲得するために本出願の方法によるＥＰＤＣＣＨのタイプ(局地型または分散型)によってＤＣＩのＭＣＳフィールドを分析することができる。
【００８８】
ＬＴＥのバージョン１１で２個のＥＰＤＣＣＨ集合を通したＵＥの設定がサポートされる。ダウンリンク伝送モード１０において、それぞれのＥＰＤＣＣＨ集合のＲＥマッピング及びＱＣＬ構成はＰＤＳＣＨのＲＥマッピング及びＱＣＬ構成と一致する。それぞれのＰＤＳＣＨのＲＥマッピング及びＱＣＬ構成において、そのターゲット物理階層伝送技術は相異することができ、したがって、そのリンク状態も相異なる。例えば、ＪＴを使用する場合、ＳＩＮＲはＣＳ／ＣＲより高いことがあるので、ＪＴを使用する場合、２５６ＱＡＭをサポートするＭＣＳテーブルを使用することが可能であり得る。このような方法でＰＤＳＣＨを伝送する場合、ＥＰＤＣＣＨ集合及びリンク状態の間に所定対応関係があり得る。
【００８９】
本出願で、ＵＥのそれぞれのＥＰＤＣＣＨは、複数のＭＣＳテーブルをそれぞれ使用するように構成されることができる。すなわち、それぞれのＥＰＤＣＣＨ集合のパラメータを設定する場合、それぞれのＥＰＤＣＣＨ集合が既存ＬＴＥ標準のＭＣＳテーブル及び２５６ＱＡＭをサポートするＭＣＳテーブルのうち一つを使用するようにさらに設定されることができる。基地局がダウンリンクデータ伝送をスケジューリングする場合、ＤＣＩ情報は、ＵＥのＥＰＤＣＣＨ集合のＥＰＤＣＣＨ候補を通して伝送されることができ、ＤＣＩのＭＣＳフィールドは選択されたＥＰＤＣＣＨ集合により構成されたＭＣＳテーブルによって設定されることができる。したがって、ＵＥが（Ｅ）ＰＤＣＣＨをブラインドで検出した後、ＵＥはＥＰＤＣＣＨが属するＥＰＤＣＣＨ集合によってＭＣＳテーブルを決定し、ＤＣＩのＭＣＳフィールドを分析することができる。
【００９０】
ＬＴＥバージョン１０で、ｅＩＣＩＣ技法をサポートするために、セルのダウンリンクサブフレームは２個の集合に分けられ、その２個のチャネル状態は相異する。図４に図示されるように、ＡＢＳＦを通して構成された一つのサブフレーム集合はマクロ基地局に対応する。すなわち、マクロ基地局からのより小さなセルに対する干渉はより少ないために、ＵＥのＳＩＮＲは非常に高いことがあり、２５６ＱＡＭの変調モードを使用するに適合する。他のサブフレーム集合において、マクロ基地局がダウンリンク制御及びダウンリンクデータを伝送するので、ＵＥのＳＩＮＲはより少なく、２５６ＱＡＭの変調モードをサポートできない。
【００９１】
本出願で、ネットワークはダウンリンクサブフレームを複数の集合、例えば、相異なる干渉度合いを有する相異なるダウンリンクサブフレーム集合に分けられる。それぞれのダウンリンクサブフレーム集合ごとに、それぞれのダウンリンクサブフレーム集合のダウンリンクデータ伝送をスケジューリングするＤＣＩにより使用されるＭＣＳテーブルを構成する。２５６ＱＡＭに対する新たなテーブルを定義する場合、本出願でＵＥはそれぞれのダウンリンクサブフレーム集合のＳＩＮＲ状況によって、既存ＬＴＥバージョンのＭＣＳテーブルまたは２５６ＱＡＭをサポートする新たなＭＣＳテーブルを使用するように構成される。上記長いＭＣＳテーブルを定義する場合、本出願でＵＥはそのサブフレーム集合のＳＩＮＲ状況によって、長いＭＣＳテーブルでＭＣＳインデックスのオフセット値ｖを選択するように構成される。ＵＥが相異なるダウンリンクサブフレーム集合に対するＭＣＳテーブルの上記構成情報を受信した後、ダウンリンクサブフレーム集合のＤＣＩフォーマットスケジューリングダウンリンク伝送を検出する場合、ＵＥはネットワークによって設定されたダウンリンクサブフレームに対して構成されたＭＣＳテーブルによって、基地局スケジューリングの変調モード及びＴＢＳを分析することができる。
【００９２】
本出願は、また、上記ダウンリンク伝送方法を具現するのに使用されるユーザ端末装置を提供する。図５は、本出願のユーザ端末装置の概略図である。図５に図示されるように、上記装置はＣＱＩ情報測定及び報告ユニット、ダウンリンクスケジューリング情報受信ユニット及びダウンリンクデータ受信及び処理ユニットを含む。
【００９３】
ＣＱＩ情報測定及び報告ユニットは、ダウンリンクチャネル品質指示子(ＣＱＩ)情報を測定して基地局に報告するように構成される。ここで、ＵＥは、後方互換ＣＱＩテーブルまたは２５６ＱＡＭ変調をサポートするＣＱＩテーブルによって上記ＣＱＩ情報を報告できる。
【００９４】
上記ダウンリンクスケジューリング情報受信ユニットは、上記基地局から伝送されたダウンリンクスケジューリング情報を受信するように構成される。
【００９５】
ダウンリンクデータ受信及び処理ユニットは、ダウンリンクスケジューリング情報に含まれたＤＣＩのＭＣＳ情報によって、基地局から伝送されたダウンリンクデータを受信して、それによって処理するように構成される。ここで、ＵＥは後方互換ＭＣＳテーブルまたは２５６ＱＡＭ変調をサポートするＭＣＳテーブルによってＭＣＳ情報を処理できる。
【００９６】
本出願の上記特定具現例から、本出願の方法及び装置の応用例は２５６ＱＡＭ伝送をサポートするＣＱＩテーブル及びＭＣＳテーブルを生成し、ＵＥのリンク状態によって既存ＬＴＥ標準のＣＱＩ/ＭＣＳテーブルの使用選択や２５６ＱＡＭ伝送をサポートするＣＱＩ/ＭＣＳテーブルの使用選択をサポートすることによって、ダウンリンク伝送の性能を最適化できることが分かる。
【００９７】
上述した内容は、本発明の好ましい実施形態に過ぎなく、その保護範囲を制限するために使用されない。本発明の概念及び原理による全ての変更、均等な置換及び改善事項は本発明の保護範囲内に含まれなければならない。
【図１】
0006531102.tif 000004
【図２】
0006531102.tif 000005
【図３】
0006531102.tif 000006
【図４】
0006531102.tif 000007
【図５】
0006531102.tif 000008